(57)【要約】【課題】記録予約情報の記録予約対象信号形式による伝送等を図る。【解決手段】放送受信機１１で受信した放送波に多重化されている番組情報を取得し、その番組情報を元に記録予約情報を作成する。作成された記録予約情報を映像信号又は音声信号に変換して映像信号線Ｖ１又は音声信号線Ａ１を介して記録機器１２に転送する。記録機器１２は、受け取った記録予約情報に基づいて記録予約に対する可否のフィードバック情報を作成して映像信号又は音声信号に変換して映像信号線Ｖ６又は音声信号線Ａ５を介して放送受信機１１に返送し、フィードバック情報に基づいて映像信号線Ｖ１又は音声信号線Ａ１を介して転送されて来る記録予約情報対応の映像信号及び音声信号を記録する。【選択図】図１
2007274652.tif 000002
【特許請求の範囲】
【請求項１】
互いに別体の放送受信装置と記録機器との間を映像出力ライン又は音声出力ラインで接続して、前記放送受信装置から前記記録機器への放送番組の予約設定指示信号、及び、前記記録機器から前記放送受信装置への予約設定可否についての応答信号を、映像信号又は音声信号に重畳させることを特徴とする予約録画設定方法。
【請求項２】
前記予約設定指示信号に番組情報を含ませることを特徴とする請求項１記載の予約録画設定方法。
【請求項３】
前記記録装置で受信した音声信号又は映像信号から前記予約設定指示信号を抽出し、
抽出した前記予約設定指示信号に基づいて記録可否の判断を前記記録装置で行うことを特徴とする請求項１又は２記載の予約録画設定方法。
【請求項４】
前記記録可否の判断結果を前記記録装置で声信号又は映像信号に変換して前記放送受信装置へ返送し、
返送された前記判断結果が記録可であるとき、前記記録予約に対応する番組の映像信号及び音声信号を前記記録装置に送信して記録を行うことを特徴とする請求項３記載の予約録画設定方法。
【請求項５】
前記予約設定指示信号は、前記映像信号の垂直帰線期間に挿入されることを特徴とする請求項１、２、３又は４記載の予約録画設定方法。
【請求項６】
前記予約設定指示信号は、前記映像信号の映像期間に挿入されることを特徴とする請求項１、２、３又は４記載の予約録画設定方法。
【請求項７】
前記記録可否の判断結果は、前記映像信号の垂直帰線期間に挿入されることを特徴とする請求項１、３、４、５又は６記載の予約録画設定方法。
【請求項８】
前記記録可否の判断結果は、前記映像信号の映像期間に挿入されることを特徴とする請求項１、３、４、５又は６記載の予約録画設定方法。
【請求項９】
放送受信装置で受信する放送番組を記録装置へ送信して該放送番組の記録を行う予約録画設定方法であって、
前記放送番組の記録可否の判断を前記記録装置で行い、
前記放送番組の記録可の判断結果を音声信号又は映像信号に変換して前記放送受信装置へ送信することを特徴とする予約録画設定方法。
【請求項１０】
前記記録可の判断結果は、前記映像信号の垂直帰線期間に挿入されることを特徴とする請求項９記載の予約録画設定方法。
【請求項１１】
前記記録可の判断結果は、前記映像信号の映像期間に挿入されることを特徴とする請求項９記載の予約録画設定方法。
【請求項１２】
放送受信装置に、放送波を受信して放送番組の予約設定指示信号を生成する生成手段と、該生成手段で生成される制御情報を記録機器へ送信する送信手段とを設ける一方、前記記録機器に、前記予約設定指示信号を受信する受信手段と、該受信手段で受信される前記予約設定指示信号に基づいて前記放送番組の記録を行う記録制御手段とを備える予約録画設定システムであって、
前記予約設定指示信号を前記放送受信装置で音声信号又は映像信号に変換する変換手段と、
該変換手段で変換される前記音声信号又は前記映像信号を前記記録機器へ送信する送信手段とを備えることを特徴とする予約録画設定システム。
【請求項１３】
前記予約設定指示信号に番組情報を含ませることを特徴とする請求項１２記載の予約録画設定システム。
【請求項１４】
前記記録装置に、
受信される音声信号又は映像信号から前記予約設定指示信号を抽出する抽出手段と、
該抽出手段で抽出される前記予約設定指示信号に基づいて記録可否を判断する判断手段を備えることを特徴とする請求項１２又は１３記載の予約録画設定システム。
【請求項１５】
前記記録装置に、
前記記録可否の判断結果を前記記録装置で音声信号又は映像信号に変換する変換手段と、
該変換手段で変換される前記音声信号又は前記映像信号を前記放送受信装置へ送信する送信手段とを設ける一方、
前記放送受信装置に、
受信される前記判断結果が記録可であるとき、前記記録予約に対応する番組の映像信号及び音声信号を前記記憶装置に送信する送信手段を設けることを特徴とする請求項１４記載の予約録画設定システム。
【請求項１６】
前記予約設定指示信号は、前記映像信号の垂直帰線期間に挿入されることを特徴とする請求項１２、１３、１４又は１５記載の予約録画設定システム。
【請求項１７】
前記予約設定指示信号は、前記映像信号の映像期間に挿入されることを特徴とする請求項１２、１３、１４又は１５記載の予約録画設定システム。
【請求項１８】
前記記録可否の判断結果は、前記映像信号の垂直帰線期間に挿入されることを特徴とする請求項１２、１４、１５又は１６記載の予約録画設定システム。
【請求項１９】
前記記録可否の判断結果は、前記映像信号の映像期間に挿入されることを特徴とする請求項１２、１４、１５又は１６記載の予約録画設定システム。
【請求項２０】
放送受信装置で受信する放送番組を記録装置へ送信して該放送番組の記録を行う予約録画設定システムであって、
前記記録装置に、
前記放送番組の記録可否を判断する判断手段と、
該判断手段の前記放送番組の記録可の判断結果を音声信号又は映像信号に変換する変換手段と、
該変換手段によって変換される前記音声信号又は前記映像信号を前記放送受信装置へ送信する送信手段とを備えることを特徴とする予約録画設定システム。
【請求項２１】
前記記録可の判断結果は、前記映像信号の垂直帰線期間に挿入されることを特徴とする請求項２０記載の予約録画設定システム。
【請求項２２】
前記記録可の判断結果は、前記映像信号の映像期間に挿入されることを特徴とする請求項２０記載の予約録画設定システム。
【発明の詳細な説明】
【技術分野】
【０００１】
この発明は、予約録画設定方法及びそのシステムに関し、詳しくは放送受信装置と記録装置との間で伝送される標準の信号形式で予約設定指示信号等を伝送する予約録画設定方法及びそのシステムに関する。
【背景技術】
【０００２】
従来の放送番組記録システムには、放送受信機と記録機器とが別体となっているシステムがあるが、このようなシステムにおいて、放送受信機で受信した番組表や番組情報等のデータを記録機器に転送して記録に用いるためには、専用のインターフェースで独自の規格で接続するシステム構成にする必要があった。特に、異なるメーカーの放送受信機と記録機器とを接続することは難しく、記録に放送受信機からの情報を利用することは実質上不可能であった。
【０００３】
このため、放送受信機と記録機器とが別体に構成される放送番組記録システムにおいて、予約設定した番組が始まったときにその番組を自動的に記録させたい場合には、番組開始時に、放送受信機が、記録機器を制御するためのリモコンコードを疑似的に作成して赤外線発光ダイオードから送出し、外部記録機器の記録動作を開始させたり、或いは映像信号が入力されたら自動的に記録機器の記録が開始されるように予め記録機器を設定しておく、といった方法（以下、従来技術という）が採られている。
【０００４】
特許文献１には、衛星放送受信機、録画装置、モニタ等の各種ＡＶ機器を、ＩＥＥＥ１３９４シリアルバス、ＵＳＢ等のバスで接続し、このバスを介して機器使用情報や機器使用情報に対する可否判断情報を送受信する技術が開示されている。また、特許文献２には、受信機とディジタルＶＴＲとを特許文献１と同じようにＩＥＥＥ１３９４シリアルバスで接続し、タイマー予約確認情報、タイマー予約確認情報に対するタイマー予約確認結果情報の送受信を行う技術が開示されている。
【０００５】
特許文献３には、テレビジョン受信機の文字多重デコーダが外部機器制御回路を介してＶＴＲ等に接続され、その文字多重デコーダの識別表示制御手段により表示装置の画面に表示される番組表内に番組の予約状態をも表示させる技術が開示されている。また、特許文献４には、データ記録系と、データ再生系と、これら両系とＨＤドライブとをＨＤドライブ切替部を介してＡＴＡＰＩ等の規格に準拠したＨＤ用ドライブインターフェースで接続し、また、上記両系とＤＶＤドライブとをＤＶＤドライブ切替部を介してＡＴＡＰＩ等の規格に準拠したＤＶＤ用ドライブインターフェースで接続すると共に、データ記録系と、データ再生系と、ＨＤドライブと、ＨＤドライブ切替部と、ＤＶＤドライブと、ＤＶＤドライブ切替部とを制御するシステム制御系を備えて構成される情報記録再生装置において、そのシステム制御系の制御の下に、データ再生系から外部のモニタに供給される映像情報として番組予定表の映像データ信号内に番組予約情報信号を重畳させる技術が開示されている。
【０００６】
特許文献５には、携帯電話機において、ディジタルカメラで撮像した画像又は電子メールで受信した画像内の文字について文字認識処理を行い、認識処理で得たＧコードに基づいた録画予約処理を行う技術が開示されている。また、特許文献６には、音響カップラを用いてＶＴＲのタイマの予約確認又は設定を行う技術が開示されている。
【特許文献１】ＷＯ９８／４３４１６
【特許文献２】特開２０００−０２１１４５号公報
【特許文献３】特開２０００−０６９３８０号公報
【特許文献４】特開２００５−０４５３８５号公報
【特許文献５】特開２００５−１３６８３１号公報
【特許文献６】特開平０６−２６１１３９号公報
【発明の開示】
【発明が解決しようとする課題】
【０００７】
上述の従来技術により、予約設定された番組の記録は可能になったが、放送受信機に装備の赤外線リモコン搬送波周波数やフォーマット以外の記録機器には対応できないという技術的課題や、近年記録要求から実際に記録が開始されるまでの時間が掛かる記録機器が増えており、記録される番組が一部欠けることがあるという技術的課題、さらにはあらすじや出演者等の番組の詳細な情報の伝達ができないという技術的課題があり、これらの技術的課題を解決しようとしてインターフェースを新規に設けたとしても、独自規格になり易く、また、新規な回路の追加が必要になってしまうという技術的課題がある。
【０００８】
特許文献１も、また、特許文献２も、情報の伝送系を専用のインターフェースで構成しているから、上記従来技術と同種の技術的課題がある。特許文献３も、また、特許文献４も、番組予約情報を表示装置等に表示させるのに番組予約情報を映像情報にして表示することだけを示しており、そのインターフェースも映像表示のための専用のものであるから、上記従来技術と同種の技術的課題がある。
また、特許文献５は、文字認識処理で得られるＧコードで録画予約を行うから、そのＧコードに基づく予約処理系は、録画される映像信号とは全く別個のものとして構築しなければならず、上記従来技術にある技術的課題は解決されていない。
また、特許文献６は、音響カップラがモデムとモデムとの間に介設され、モデムは特定のバスを介して通信処理マイコンに接続される構成であるから、上記従来技術と同じ技術的課題がある。
【０００９】
この発明は、上述の事情に鑑みてなされたもので、放送受信装置と記録装置との間で伝送される標準規格の信号形式で記録に必要な制御信号を伝送し得る予約録画設定方法及びそのシステムを提供することを目的としている。
【課題を解決するための手段】
【００１０】
上記課題を解決するために、請求項１記載の発明は、放送番組の予約録画設定方法に係り、互いに別体の放送受信装置と記録機器との間を映像出力ライン又は音声出力ラインで接続して、上記放送受信装置から上記記録機器への放送番組の予約設定指示信号、及び、上記記録機器から上記放送受信装置への予約設定可否についての応答信号を、映像信号又は音声信号に重畳させることを特徴としている。
【００１１】
請求項２記載の発明は、請求項１記載の予約録画設定方法に係り、上記予約設定指示信号に番組情報を含ませることを特徴としている。
【００１２】
請求項３記載の発明は、請求項１又は２記載の予約録画設定方法に係り、上記記録装置で受信した音声信号又は映像信号から上記予約設定指示信号を抽出し、抽出した上記予約設定指示信号に基づいて記録可否の判断を上記記録装置で行うことを特徴としている。
【００１３】
請求項４記載の発明は、請求項３記載の予約録画設定方法に係り、上記記録可否の判断結果を上記記録装置で音声信号又は映像信号に変換して上記放送受信装置へ返送し、返送された上記判断結果が記録可であるとき、上記記録予約に対応する番組の映像信号及び音声信号を上記記録装置に送信して記録を行うことを特徴としている。
【００１４】
請求項５記載の発明は、請求項１、２、３又は４記載の予約録画設定方法に係り、上記予約設定指示信号は、上記映像信号の垂直帰線期間に挿入されることを特徴としている。
【００１５】
請求項６記載の発明は、請求項１、２、３又は４記載の予約録画設定方法に係り、上記予約設定指示信号は、上記映像信号の映像期間に挿入されることを特徴としている。
【００１６】
請求項７記載の発明は、請求項１、３、４、５又は６記載の予約録画設定方法に係り、上記記録可否の判断結果は、上記映像信号の垂直帰線期間に挿入されることを特徴としている。
【００１７】
請求項８記載の発明は、請求項１、３、４、５又は６記載の予約録画設定方法に係り、上記記録可否の判断結果は、上記映像信号の映像期間に挿入されることを特徴としている。
【００１８】
請求項９記載の発明は、放送受信装置で受信する放送番組を記録装置へ送信して該放送番組の記録を行う予約録画設定方法に係り、上記放送番組の記録可否の判断を上記記録装置で行い、上記放送番組の記録可の判断結果を音声信号又は映像信号に変換して上記放送受信装置へ送信することを特徴としている。
【００１９】
請求項１０記載の発明は、請求項９記載の予約録画設定方法に係り、上記記録可の判断結果は、上記映像信号の垂直帰線期間に挿入されることを特徴としている。
【００２０】
請求項１１記載の発明は、請求項９記載の予約録画設定方法に係り、上記記録可の判断結果は、上記映像信号の映像期間に挿入されることを特徴としている。
【００２１】
請求項１２記載の発明は、放送受信装置に、放送波を受信して放送番組の予約設定指示信号を生成する生成手段と、該生成手段で生成される制御情報を記録機器へ送信する送信手段とを設ける一方、上記記録機器に、上記予約設定指示信号を受信する受信手段と、該受信手段で受信される上記予約設定指示信号に基づいて上記放送番組の記録を行う記録制御手段とを備える予約録画設定システムに係り、上記予約設定指示信号を上記放送受信装置で音声信号又は映像信号に変換する変換手段と、該変換手段で変換される上記音声信号又は上記映像信号を上記記録機器へ送信する送信手段とを備えることを特徴としている。
【００２２】
請求項１３記載の発明は、請求項１２記載の予約録画設定システムに係り、上記予約設定指示信号に番組情報を含ませることを特徴としている。
【００２３】
請求項１４記載の発明は、請求項１２又は１３記載の予約録画設定システムに係り、上記記録装置に、受信される音声信号又は映像信号から上記予約設定指示信号を抽出する抽出手段と、該抽出手段で抽出される上記予約設定指示信号に基づいて記録可否を判断する判断手段を備えることを特徴としている。
【００２４】
請求項１５記載の発明は、請求項１４記載の予約録画設定システムに係り、上記記録装置に、上記記録可否の判断結果を上記記録装置で音声信号又は映像信号に変換する変換手段と、該変換手段で変換される上記音声信号又は上記映像信号を上記放送受信装置へ送信する送信手段とを設ける一方、上記放送受信装置に、受信される上記判断結果が記録可であるとき、上記記録予約に対応する番組の映像信号及び音声信号を上記記憶装置に送信する送信手段を設けることを特徴としている。
【００２５】
請求項１６記載の発明は、請求項１２、１３、１４又は１５記載の予約録画設定システムに係り、上記予約設定指示信号は、上記映像信号の垂直帰線期間に挿入されることを特徴としている。
【００２６】
請求項１７記載の発明は、請求項１２、１３、１４又は１５記載の予約録画設定システムに係り、上記予約設定指示信号は、上記映像信号の映像期間に挿入されることを特徴としている。
【００２７】
請求項１８記載の発明は、請求項１２、１４、１５又は１６記載の予約録画設定システムに係り、上記記録可否の判断結果は、上記映像信号の垂直帰線期間に挿入されることを特徴としている。
【００２８】
請求項１９記載の発明は、請求項１２、１４、１５又は１６記載の予約録画設定システムに係り、上記記録可否の判断結果は、上記映像信号の映像期間に挿入されることを特徴としている。
【００２９】
請求項２０記載の発明は、放送受信装置で受信する放送番組を記録装置へ送信して該放送番組の記録を行う予約録画設定システムに係り、上記記録装置に、上記放送番組の記録可否を判断する判断手段と、該判断手段の上記放送番組の記録可の判断結果を音声信号又は映像信号に変換する変換手段と、該変換手段によって変換される上記音声信号又は上記映像信号を上記放送受信装置へ送信する送信手段とを備えることを特徴としている。
【００３０】
請求項２１記載の発明は、請求項２０記載の予約録画設定システムに係り、上記記録可の判断結果は、上記映像信号の垂直帰線期間に挿入されることを特徴としている。
【００３１】
請求項２２記載の発明は、請求項２０記載の予約録画設定システムに係り、上記記録可の判断結果は、上記映像信号の映像期間に挿入されることを特徴としている。
【発明の効果】
【００３２】
この発明によれば、放送受信装置で受信する放送番組の記録に必要な制御情報を記録装置へ送信して放送番組の記録を行うのに、制御情報を放送受信装置で音声信号又は映像信号に変換して記録装置へ送信するようにしているから、音声信号やＴＶ標準規格の映像信号の伝送方式の活用を図ることができ、放送受信装置と記録装置との間で専用の規格に則った信号の伝送は必要でなく、新たにインタフェース端子を設ける必要性を無くすことができる。
放送受信装置から転送した予約設定指示信号に対して、記録装置から予約設定指示信号対応の記録の可否応答（フィードバック情報）が記録装置から放送受信装置に返されるから、記録装置が記録できない場合の処置（ユーザへの通知や記録予約のキャンセル等）を放送受信装置でも行うことができる。
【発明を実施するための最良の形態】
【００３３】
この発明は、放送受信装置で受信する放送番組の記録に必要な制御情報を記録装置へ送信して放送番組の記録を行う予約録画設定システムに、制御情報を放送受信装置で音声信号又は映像信号に変換して記録装置へ送信する仕組みを備えて構成される。
【実施例１】
【００３４】
図１は、この発明の実施例１である記録予約システムの第１の構成例を示す概略図、図２は、同記録予約システムの第２の構成例を示す概略図、図３は、同記録予約システムの放送受信機の詳細な構成を示す図、また、図４は、同記録予約システムの記録機器の詳細な構成を示す図である。
この実施例の記録予約システム１は、音声信号又は映像信号で予約設定指示信号を放送受信機から記録機器へ送り、予約設定指示信号に対するフィードバック情報を音声信号又は映像信号で記録機器から放送受信機へ返すシステムに係る。
【００３５】
記録予約システム１の概略構成は、図１及び図２に示すように、図１の場合は、放送受信機１１において予約設定指示信号を画像信号又は音声信号に変換して画像信号線Ｖ１又は音声信号線Ａ１を経て記録機器１２へ送信し、記録機器１２から予約設定指示信号に対する応答としてのフィードバック情報（記録予約可否情報）を画像信号又は音声信号に変換して画像信号線Ｖ６又は音声信号線Ａ５を経て放送受信機１１へ返送するようにして構成され、図２の場合は、放送受信機１１から記録機器１２への予約設定指示信号の送信は図１の場合と同様であるが、予約設定指示信号に対する応答の返し方を次のように変更して、すなわち、記録機器１２から画像信号線Ｖ７を経て画像信号が、また、音声信号線Ａ８を経て音声信号がＴＶモニタ１３に供給され、ＴＶモニタ１３の画面出力又は音声出力により上記応答を放送情報機１１へ返すようにして構成されている。なお、図１でも、ＴＶモニタ１３は記録機器１２に音声信号線Ａ８及び画像信号線Ｖ７を経て接続される。
【００３６】
放送受信機１１は、図３に示すように構成されている。放送受信機１１は、高周波信号入力部（ＡＮＴ）２１と、チューナー２２と、デコーダ２３と、垂直帰線期間番組情報抽出回路２４と、中央演算装置２５と、主記憶装置２６と、補助記録装置２７と、フレームバッファ２８と、ディスプレイコントローラ２９と、表示部３０と、ビデオエンコーダ３２と、キーパッド３３と、変調器３４と、セレクタ／ミキサー３５と、セレクタ３６と、同期分離回路３７と、重畳回路３８と、フィードバック情報抽出回路（ＦＢ情報抽出回路）３９と、撮像素子４０と、セレクタ４１と、マイク（ＭＩＣ）４２と、復調器４３とを含んで構成されている。
【００３７】
高周波信号入力部２１は、外部から放送波信号を受け取る信号受信部である。
チューナー２２は、高周波信号入力部２１から同軸ケーブル等の接続線Ｒ１を経て入力される放送波信号から選択した放送局の放送波信号（番組）のみを選択抽出する復調回路である。チューナー２２は、放送がディジタル放送である場合には圧縮動画信号を圧縮動画信号線Ｍ１に、また、アナログ放送である場合には映像信号を映像信号線Ｖ４に出力する選局機能を果たす。圧縮動画信号はデコーダ２３に転送され、映像信号は垂直帰線期間番組情報抽出回路２４に転送され、音声信号は音声信号線Ａ４を介してセレクタ／ミキサー３５に転送される。
【００３８】
デコーダ２３は、チューナー２２で抽出されたディジタル放送の圧縮動画信号の伸張回路であり、圧縮動画信号を逆符号化して映像信号、音声信号及び番組情報を抽出する。映像信号は映像信号線Ｖ２を介してセレクタ３６に転送され、音声信号は音声信号線Ａ３を介してセレクタ／ミキサー３５に転送され、そして番組情報は番組情報線Ｅ１を介して中央演算装置２５に転送される。
【００３９】
垂直帰線期間番組情報抽出回路２４は、ＴＶ標準規格信号の映像信号Ｖ４の垂直帰線期間に重畳されている番組情報を抽出し、番組情報線Ｅ２を介して中央演算装置２５に転送する回路である。
中央演算装置２５は、ソフトウェアによりその動作、すなわち、周辺機器の制御や演算が決められた回路であり、番組情報を受け取り、キーパッド３３のユーザ操作内容が番組の記録予約設定である場合に番組情報を加工して番組表や記録予約情報等のデータを作成し、主記憶装置２６、補助記憶装置２７に記憶させ、また、番組表データを元に番組表を作成する。
【００４０】
主記憶装置２６及び補助記憶装置２７は、中央演算装置２５の制御下に記録予約情報や番組情報を記憶する記憶部である。
フレームバッファ２８は、中央演算装置２５で作成され、データ線Ｄ３を経て転送されて来る画像データを記憶するためのメモリ領域であり、表示部３０用のものと、ビデオエンコーダ３２用のものと２つの領域が確保されている。
ディスプレイコントローラ２９は、フレームバッファ２８に書き込まれた画像データをデータ線Ｄ１１を経て読み出し、その画像データの画像が表示部３０に表示できるように信号変換する、すなわち、表示部３０の表示フォーマットに合わせた信号に変換する回路である。表示部３０は、ディスプレイコントローラ２９から供給される画像信号の画像、例えば、番組表を画面に表示するものである。
【００４１】
ビデオエンコーダ３２は、フレームバッファ２８に書き込まれた画像データをＴＶに表示させるためのＴＶ標準規格の映像信号を生成して映像信号線Ｖ５を介してセレクタ３６に出力する回路である。
キーパッド３３は、表示部３０の画面に表示された番組表を視認して所要の操作、すなわち、記録予約の設定を行い、操作対応の（選択した）内容を中央演算装置２５に転送するマンマシンインタフェース入力部である。
変調器３４は、中央演算装置２５で生成された記録予約情報のデータを音声信号に変換し、変換された音声信号を音声信号線Ａ２を介してセレクタ／ミキサー３５に転送する回路である。変調器３４での変調方式は、特定のものに限られず、ＦＳＫ変調、ＤＴＭＦ変調、可聴帯域外の周波数による変調等を用いることができる。
【００４２】
セレクタ／ミキサー３５は、中央演算装置２５からデータ線Ｄ１３を経て転送される選択信号によって放送受信機１１から記録機器１２へ出力される音声信号を選択する選択器である。選択信号はキーパット３３からの指示信号に基づいて中央演算装置２５で作成される。選択される信号は、中央演算装置２５で生成された記録予約情報のデータが変調器３４で変換された音声信号、チューナー２２で抽出されたディジタル放送の音声データがデコーダ２３で逆符号化されて発生される音声信号及びチューナー２２で復調されたアナログ放送の音声信号である。
【００４３】
セレクタ３６は、ビデオ信号の選択器である。選択対象となるビデオ信号は、デコーダ２３からのディジタル放送の映像信号、チューナー２２からの映像信号及びビデオエンコーダ３２からの映像信号である。セレクタ３６における選択は、中央演算装置２５からデータ線Ｄ１４を経てセレクタ３６に供給される選択信号によって行われる。セレクタ３６は、選択された映像信号を映像信号線Ｖ３を介して出力する。
同期分離回路３７は、映像信号の同期信号を分離して同期信号線Ｓ１を介して出力する回路である。重畳回路３８は、同期分離回路３７から出力される同期信号に同期して中央演算装置２５からデータ線Ｄ９を経て転送されて来る記録予約情報を映像信号の垂直帰線期間内に挿入（重畳）したＴＶ標準規格信号の映像信号を映像信号線Ｖ１に出力する回路である。
【００４４】
フィードバック情報抽出回路（ＦＢ情報抽出回路）３９は、記録機器１２から映像信号線Ｖ６を経て転送される映像信号からフィードバック情報を抽出し、抽出されたフィードバック情報を主記憶装置２６に書き込む回路である。フィードバック情報は、記録機器１２から映像信号線Ｖ６を介して出力される映像信号の垂直帰線期間に多重化又は映像期間に挿入されている。
撮像素子４０は、ＴＶモニタ１３に表示されているフィードバック情報を含む画像を取り込み、取り込まれた画像データはデータ線Ｄ５を経て主記憶装置２６に転送して主記憶装置２６に書き込まれる。
【００４５】
セレクタ４１は、記録機器１２から放送受信機１１へ返送されるフィードバック情報を取得するための信号として音声信号線Ａ５又は音声信号線Ａ６を経て転送される音声信号のいずれかを選択する選択器である。マイク（ＭＩＣ）４２は、記録機器１２からＴＶモニタ１３のスピーカから出力される音声信号のフィードバック情報を放送受信機１１に取り込む素子である。復調器４３は、セレクタ４１で選択された音声信号を復調してフィードバック情報を抽出する回路である。
【００４６】
記録機器１２のエンコーダ５１は、放送受信機１１から映像信号線Ｖ１及び音声信号線Ａ１を経て転送されて来る番組放送の映像信号及び音声信号を符号化し、番組データを出力する回路である。エンコーダ５１の出力はデータ線Ｄ１６を介して記録装置５２に接続されている。
記録装置５２は、データ線Ｄ１６を経て入力される符号化された番組データを記録するほか、記録されている番組データを読み出してデータ線Ｄ１８に出力する装置である。
【００４７】
垂直帰線期間データ抽出回路５３は、映像信号線Ｖ１を経て転送されて来る番組放送の映像信号の垂直帰線期間に多重化されている記録予約情報を抽出し、データ線Ｄ２０を介して中央演算装置５６に転送する回路である。
映像期間キャプチャー５４は、映像信号線Ｖ１を経て転送されて来る映像信号から映像期間の信号だけ抽出し、データ線Ｄ２６を介して主記憶装置５６に書き込む回路である。
【００４８】
主記憶装置５５は、映像期間キャプチャー５４で抽出された映像信号の映像部分を書き込み、そして読み出して中央演算装置５６に転送する装置である。
中央演算装置５６は、垂直帰線期間データ抽出回路５３、映像期間キャプチャー５４及びキーパッド６６と、主記憶装置５５及び補助記憶装置５７とから所要の情報を受け取って後述する所定の処理を行い、その処理内容をフレームバッファ５９、垂直帰線期間挿入回路６３及び変調器６４に転送する処理部である。
【００４９】
補助記憶装置５７は、中央演算装置５６で処理した内容を記憶し、そして読み出して中央演算装置５６に転送する装置である。
復調器５８は、放送受信機１１から音声信号線Ａ１を介して転送されて来る記録予約情報を復調し、元のデジタルデータを出力し、復調された記録予約情報をデータ線Ｄ１５を経て中央演算装置５６に転送する回路である。
【００５０】
フレームバッファ５９は、中央演算装置５６で生成されたフィードバック情報を元に生成されたＱＲコードのような画像コードをデータ線Ｄ２２を経て受け取り記憶する画像データ格納用メモリ領域である。
ビデオエンコーダ６０は、フレームバッファ５９に記憶されている画像データをＴＶ標準規格信号に変換して映像信号線Ｖ８へ出力する回路である。
セレクタ６１は、映像信号線Ｖ８又は映像信号線Ｖ９の映像信号を選択して垂直帰線期間挿入回路６３へ出力する選択器である。
デコーダ６２は、記録装置５２から読み出された動画符号化信号を映像信号及び音声信号に変換して各別に映像信号線Ｖ９と音声信号線Ａ１０とに出力する回路である。
【００５１】
垂直帰線期間挿入回路６３は、中央演算装置５６で生成された、記録予約情報に対するフィードバック情報（デジタルデータ）を映像信号Ｖ１０の垂直帰線期間に挿入する回路である。
変調器６４は、中央演算装置５６で生成された、記録予約情報に対するフィードバック情報（デジタルデータ）を音声信号に変換して音声信号線Ａ９に出力する回路である。
ミキサー６５は、変調器６４から出力されて音声信号線Ａ９を介して転送される音声信号とデコーダ６２から出力されて音声信号線Ａ１０を介して転送される音声信号とを混合する混合器である。
キーパッド６６は、記録予約情報に対するフィードバック情報の放送受信機１１への返送を音声信号又は映像信号で行うかを指定し、映像信号とする場合にその垂直帰線期間とするか映像期間とするかを指定する操作器である。上記指定をキーパット６６でなく、予め決めて置いてもよい。
【００５２】
次に、図１乃至図４を参照して、この実施例の動作について説明する。
外部からの放送波信号が高周波信号入力部２１によって受け取られる。その放送波信号は、チューナー２２において選択された放送局の信号（番組）のみが選択抽出される。すなわち、チューナー２２は、放送がディジタル放送である場合には圧縮動画像信号を圧縮動画信号線Ｍ１に出力し、また、アナログ放送である場合には映像信号を選択して映像信号線Ｖ４に出力する。圧縮動画信号が選択されるときはその圧縮動画信号が圧縮動画信号線Ｍ１を介してデコーダ２３に転送され、映像信号が選択されるときは映像信号線Ｖ４を介して垂直帰線期間番組情報抽出回路２４に転送される。
【００５３】
ディジタル放送の圧縮動画信号を受け取ったデコーダ２３は、その圧縮動画信号を逆符号化して映像信号、音声信号及び番組情報を抽出する。抽出された映像信号は、映像信号線Ｖ２を介してセレクタ３６に転送され、音声信号は音声信号線Ａ３を介してセレクタ／ミキサー３５に転送され、そして番組情報は番組情報線Ｅ１を介して中央演算装置２５に転送される。
アナログ放送の映像信号を映像信号線Ｖ４を介して受け取った垂直帰線期間番組情報抽出回路２４は、ＴＶ標準規格信号である映像信号の垂直帰線期間に重畳されている番組情報を抽出して番組情報線Ｅ２を介して中央演算装置２５に転送する。
【００５４】
番組情報線Ｅ１、Ｅ２を介して番組情報を受け取る中央演算装置２５は、キーパッド３３のユーザ操作内容が番組の記録予約設定である場合には、その番組情報を加工して番組表や記録予約情報等のデータを作成し、主記憶装置２６、補助記録装置２７に記憶させ、番組表データを元に番組表を作成する。
【００５５】
中央演算装置２５で作成されデータ線Ｄ３を経て転送された番組表は、フレームバッファ２８の表示部３０用記憶領域に記憶され、そして読み出されてデータ線Ｄ１１を経てディスプレイコントローラ２９に転送される。ディスプレイコントローラ２９は、転送されて来た画像データを表示部３０に表示できる信号形式に変換する、すなわち、表示部３０の表示フォーマットに合わせた信号に変換する。
ディスプレイコントローラ２９で表示形式に変換された画像信号は、データ線Ｄ７を経て表示部３０に供給されてその画面に画像信号の画像、例えば、番組表が表示される。
【００５６】
表示部３０の画面に表示された番組表を視認するユーザが、キーパッド３３から所要の操作、すなわち、記録予約の設定及び記録予約情報の送出方法の指定を行い、操作対応の（選択した）内容がキーパッド３３から中央演算装置２５に転送される。
キーパッド３３から記録予約設定が入力されると、中央演算装置２５は、その記録予約設定対応の番組情報から記録予約情報を作成し、キーパット３３により設定済みの記録予約情報の送出方法を元に以下に説明するようにして記録予約情報を変換して記録機器１２に送出する。
【００５７】
記録予約情報の送出方法が音声信号線Ａ１を介して記録機器１２へ送出する設定となっている場合には、記録予約情報は、中央演算装置２５から記録予約情報線Ｙ１を介して変調器３４へ転送される。その記録予約情報は、記録機器１２との間で予め決められている変調方式、ＦＳＫ変調方式、ＤＴＭＦ変調方式、可聴帯域以外の周波数による変調などにより音声信号線に乗せられる信号に変換される。変調された音声信号は、音声信号線Ａ２を介して転送され、セレクタ／ミキサー３５により選択されて音声信号線Ａ１を経て記録機器１２へ転送される。
【００５８】
記録予約情報の送出方法が映像信号線Ｖ１を介して記録機器１２へ送出する設定となっている場合であって、その記録予約情報をＴＶ標準規格の映像信号の垂直帰線期間に書き込む設定の場合には、中央演算装置２５で作成された記録予約情報は、データ線Ｄ９を経て重畳回路３８に転送される。転送されて来た記録予約情報は、重畳回路３８において、同期分離回路３７から供給される同期信号とタイミングを合わせて、すなわち、同期をとってセレクタ３６から出力される映像信号の垂直帰線期間に重畳挿入される。記録予約情報を垂直帰線期間に挿入している映像信号が重畳回路３８から映像信号線Ｖ１に出力される。
【００５９】
また、記録予約情報の送出方法が映像信号線Ｖ１を介して記録機器１２へ送出する設定となっている場合であって、その記録予約情報をＴＶ標準規格の映像信号の映像期間に書き込む設定の場合には、その記録予約情報は、中央演算装置２５において、予め定められたフォーマットに則った画像コード、例えば、ＱＲコードに符号化され、その画像データはデータ線Ｄ３を介してフレームバッファ２８に書き込まれる。画像コードに符号化された記録予約情報は、フレームバッファ２８からデータ線Ｄ４を介してビデオエンコーダ３２に転送される。
【００６０】
ビデオエンコーダ３２は、フレームバッファ２８から画像データを受け取り、その画像データからＴＶに表示させるためのＴＶ標準規格の映像信号を生成して映像信号線Ｖ５に出力する。
この映像信号は、中央演算装置２５からデータ線Ｄ１４を経てセレクタ３６に供給される選択信号によってセレクタ３６から映像信号線Ｖ３に出力され、そしてその映像信号は、重畳回路３８をそのまま通過し、重畳回路３８から映像信号線Ｖ１を介して記録機器１２に転送される。
【００６１】
次に、上述したようにして放送受信機１１から映像信号線Ｖ１及び音声信号線Ａ１を経て転送されて来た番組放送の映像信号及び音声信号は、記録機器１２のエンコーダ５１に入力され、また、映像信号は、垂直帰線期間データ抽出回路５３及び映像期間キャプチャー５４に入力され、音声信号は、復調器５８に入力される。
映像信号及び音声信号が入力されるエンコーダ５１は、その映像信号及び音声信号を符号化して番組デジタルデータを出力する。エンコーダ５１で符号化された番組のデジタルデータは、データ線Ｄ１６を介して記録装置５２に転送されてその記録媒体に記録される。また、記録装置５２からは、記録されている番組データが読み出されてデータ線Ｄ１８に出力される。
【００６２】
映像信号線Ｖ１及び音声信号線Ａ１を経て転送されて来た番組放送の映像信号及び音声信号は、上述のようにして記録装置５２に記録される一方、その映像信号又は音声信号に含まれている記録予約情報の抽出が次のようにして行われる。
記録予約情報が映像信号の垂直帰線期間に多重化されている場合には、その記録予約情報は垂直帰線期間データ抽出回路５３で抽出され、データ線Ｄ２０を介して中央演算装置５６に転送される。
【００６３】
記録予約情報が映像信号の映像期間に挿入されている場合には、その記録予約情報だけが映像期間キャプチャー５４で抽出され、データ線Ｄ２６を介して主記憶装置５５に画像データとして書き込まれる。書き込まれた記録予約情報は、データ線Ｄ１９を介して中央演算装置５６に転送される。
また、記録予約情報が放送受信機１１から音声信号線Ａ１を介して転送されて来る場合には、その記録予約情報は復調器５８で元のデジタルデータに復調され、復調された記録予約情報はデータ線Ｄ１５を経て中央演算装置５６に転送される。
【００６４】
上述したようにして、記録予約情報を得た中央演算装置５６は、その内容、主記憶装置５５及び補助記録装置５７に記憶されている予約スケジュールや記録機器１２自身の状態を確認して記録予約情報で指定される記録が可能か否かを判断し、その結果をデジタルデータのフィードバック情報として作成してキーパッド６６又は予め決められた返送方法の指定に従って返送系を介して放送受信機１１に転送される。その返送系は、映像信号線Ｖ６又は音声信号線Ａ５のいずれかを介して形成されるが、その系に応じた変換、多重化が、次のようにしてそのデジタルデータのフィードバック情報に対して施される。
【００６５】
映像信号線Ｖ６を介してのフィードバック情報の返送には、次の２通りがある。
その第１の方法は、ＴＶ標準規格の映像信号の垂直帰線期間に挿入する仕方である。この手段を用いる場合には、フィードバック情報は、中央演算装置５６からデータ線Ｄ２５を介して垂直帰線期間挿入回路６３に転送され、垂直帰線期間挿入回路６３においてセレクタ６１から出力されている映像信号の垂直帰線期間に挿入される。垂直帰線期間にフィードバック情報が挿入された映像信号は、映像信号線Ｖ６を介して放送受信機１１に転送される。
【００６６】
その第２の方法は、ＴＶ標準規格の映像信号の映像期間に挿入する仕方である。この手段を用いる場合には、中央演算装置５６は、生成したフィードバック情報を予め定められた画像フォーマットのコード、例えば、ＱＲコードに符号化し、生成された画像データはデータ線Ｄ２２を介してフレームバッファ５９に書き込まれる。その画像データは、ビデオエンコーダ６０によりフレームバッファ５９から読み出されてデータ線Ｄ２３を介してそこに送り込まれる。その画像データは、ビデオエンコーダ６０においてＴＶ標準規格の映像信号に変換されて映像信号線Ｖ８に出力される。セレクタ６１は、この場合には、映像信号線Ｖ８の選択に切り替えられる。セレクタ６１を通った画像データは、映像信号線Ｖ１０、そして垂直帰線期間挿入回路６３を介して映像信号線Ｖ６に送出されて放送受信機１１に転送される。
【００６７】
音声信号線Ａ５を介してのフィードバック情報の返送について説明する。この場合には、中央演算装置５６で生成されたフィードバック情報は、データ線Ｄ２４を介して変調器６４に転送される。そのフィードバック情報は、変調器６４において、予め決められた方式、例えば、ＦＳＫ変調方式、ＤＴＭＦ変調方式、可聴帯域外の周波数による変調等により音声信号線に乗せられる信号に変換する。変調されたフィードバック情報は、音声信号線Ａ９を介してミキサー６５に入力され、ミキサー６５から音声信号線Ａ５を介して放送受信機１１へ転送される。また、変調されたフィードバック情報は、音声信号線Ａ８を介してＴＶモニタ１３に出力される。
【００６８】
上述のようにして、予約に対する可否等のフィードバック情報は、記録機器１２から放送受信機１１へフィードバックされる。そのフィードバック情報は、音声信号線Ａ５又は映像信号線Ｖ６を介してフィードバックされる場合には、放送受信機１１に直接入力され、ＴＶモニタ１３を介する場合には、映像素子４０又はマイク４２を介して入力される。その各々の場合について以下に説明する。
映像信号線Ｖ６を介してフィードバック情報が入力される場合には、その映像信号はＴＶ標準規格に則っているから、フィードバック情報抽出回路３９において映像信号からフィードバック情報を抽出する。抽出されたフィードバック情報は、データ線Ｄ６を介して主記憶装置２６に書き込まれ、主記憶装置２６から中央演算装置２５に転送される。
【００６９】
音声信号線Ａ５を介してフィードバック情報が音声信号の形式で入力される場合には、その音声信号はセレクタ４１によって選択された後、音声信号線Ａ７を介して復調器４３に入力される。その音声信号は復調器４３で予め決められた方式により復調され、デジタルデータに変換される。デジタルデータに変換されたフィードバック情報は、データ線Ｄ８を介して中央演算装置２５に転送される。
【００７０】
マイク４２からフィードバック情報が音声信号の形式で入力される場合には、その音声信号はセレクタ４１によって選択された後、音声信号線Ａ７を介して復調器４３に入力される。フィードバック情報が乗せられている音声信号は復調器４３で予め決められた方式により復調され、デジタルデータに変換される。デジタルデータに変換されたフィードバック情報は、データ線Ｄ８を介して中央演算装置２５に転送される。
【００７１】
撮像素子４０からフィードバック情報が画像の形式で入力される場合には、その画像信号は、予め設定された方式により符号化された画像信号に変換されているから、撮像素子４０から取り込まれた画像データは、データ線Ｄ５を介して主記憶装置２６に書き込まれる。中央演算装置２５は、主記憶装置２６に書き込まれたフィードバック情報から予約可否等の情報を取得する。
【００７２】
フィードバック情報を取得した中央演算装置２５は、フィードバック情報に含まれる予約可否等の情報に基づいて次のような処理を行う。記録予約が問題なく記録機器１２に受け入れられたときには、中央演算装置２５は、記録予約で設定された番組開始時に、データ線Ｄ１２、Ｄ１３、Ｄ１４を介してチューナー２２、セレクタ／ミキサー３５、セレクタ３６を制御し、記録予約で設定した番組の映像信号と音声信号とが映像信号線Ｖ１と音声信号線Ａ１とを介して記録機器１２に出力されるように処理する。
【００７３】
このような処理が完了し、記録予約設定した放送が開始されたときに行われる記録機器１２の動作を以下に説明する。
放送受信機１１から映像信号線Ｖ１又は音声信号線Ａ１を介して転送されて来た記録予約情報対応の記録が可能であると中央演算装置５６が判断した場合には、中央演算装置５６は、その記録予約を主記憶装置５５又は補助記録装置５７に記録予約スケジュールとして記録する。
記録予約情報に書き込まれた番組開始時刻になったとき、中央演算装置５６は、データ線Ｄ１７を介して記録装置５２を制御し、その時刻に映像信号線Ｖ１及び音声信号線Ａ１を介して入力される放送の信号がエンコーダ５１により符号化され、符号化されたデータは、データ線Ｄ１６を介して記録装置５２に転送されてそこに記録される。
【００７４】
このように、この実施例の構成によれば、別個独立に構成される放送受信機と記録機器との間の記録予約情報及びフィードバック情報を音声信号やＴＶ標準規格の映像信号に変換して挿入乃至は多重化して伝送するようにしているから、音声信号やＴＶ標準規格の映像信号の伝送方式の活用を図ることができる。
したがって、放送受信機と記録機器との間で専用の規格に則った信号の伝送は必要でなく、新たにインタフェース端子を設ける必要性を無くすことができる。
放送受信機へ転送した記録予約情報に対して、記録機器から記録予約情報対応の記録の可否応答（フィードバック情報）が記録機器から放送受信機に返されるから、記録機器が記録できない場合の処置（ユーザへの通知や記録予約のキャンセル等）を放送受信機側でも行うことができる。
【実施例２】
【００７５】
この発明の実施例２である記録予約システムは、記録予約情報を記録機器１２で作成するように構成した点にその特徴部分がある。その構成は、実施例１における記録予約情報の作成機能を記録機器１２に次のように構成してなる。
すなわち、放送受信機１１が放送波から受信した番組情報は、すべて、更新される毎に実施例１で説明した方法で映像信号及び音声信号に多重化、挿入されて記録機器１２に転送される。
番組情報を受信した記録機器１２は、実施例１で説明した方法で番組情報を抽出して中央演算装置５６に転送する。中央演算装置５６が番組情報に基づいて番組表データを作成する。
作成された番組表データを実施例１と同様にして映像信号に変換してＴＶモニタ１３に表示させるように構成される。
【００７６】
そして、ＴＶモニタ１３に表示される番組表の中の記録したい番組をキーパッド６６で選択してデータ線Ｄ２６を介して中央演算装置５６に入力させ、中央演算装置５６において記録予約情報を作成する。作成された記録予約情報は、実施例１で説明した方法で映像信号又は音声信号に多重化又は挿入されて映像信号線Ｖ６又は音声信号線Ａ５を介して放送受信機１１に転送される。
この構成以外のこの実施例の構成は、実施例１と同じであるので、同一の構成部分には同一の参照符号を付して、その逐一の説明は省略する。
【００７７】
次に、この実施例の動作について説明する。
この実施例は、以下に説明する点を除いて、実施例１で説明したところと、概略、同じである。
放送受信機１１が放送波（信号）から受信した番組情報は、すべて、更新される毎に実施例１で説明した方法で映像信号及び音声信号に多重化、挿入されて記録機器１２に転送される。
番組情報を受信した記録機器１２は、実施例１で説明した方法で番組情報を抽出して中央演算装置５６に転送する。中央演算装置５６が番組情報に基づいて番組表データを作成する。
作成された番組表データは、実施例１と同様に、データ線Ｄ２２を介してフレームバッファ５９に転送されてそこに書き込まれる。
【００７８】
フレームバッファ５９の番組表データは、実施例１と同様に、ビデオエンコーダ６０によって取り込まれ、ビデオエンコーダ６０においてＴＶ標準規格の映像信号に変換される。その映像信号は、実施例１と同様に、映像信号線Ｖ８、セレクタ６１及び映像信号線Ｖ１０を通って垂直帰線期間挿入回路６３に入力される。
垂直帰線期間挿入回路６３から出力された映像信号は、映像信号線Ｖ７を介してＴＶモニタ１３に供給される。
【００７９】
ＴＶモニタ１３に表示されている番組表を視認しつつ、ユーザはキーパッド６６を操作して記録したい番組を選択する。番組選択データは、データ線Ｄ２６を介して中央演算装置５６に転送される。
中央演算装置５６は、選択された番組の記録に支障がなければ、記録予約情報を作成する。作成された記録予約情報は、実施例１において説明した方法で映像信号又は音声信号に多重化又は挿入されて映像信号線Ｖ６又は音声信号線Ａ５を介して放送受信機１１に転送される。
【００８０】
記録予約情報を受け取った放送受信機１１において、記録予約番組の番組開始時刻が到来したならば、該当する放送局を選局し、その番組の映像信号及び音声信号を映像信号線Ｖ１及び音声信号線Ａ１を介して記録機器１２に転送する。
一方、記録機器１２では、該当番組開始時刻になったら、映像信号線Ｖ１及び音声信号線Ａ１を介して転送されて来る映像信号及び音声信号をエンコーダ５１で符号化し、その符号化データをデータ線Ｄ１６を介して記録装置５２に転送して記録させる。
【００８１】
このように、この実施例の構成によれば、実施例１と略同じ構成の下でＴＶモニタの画面を視認しながら、ユーザが記録予約の設定を行うので、実施例１で得られる効果を享受しつつ、放送受信機に表示部、キーパッド等のユーザインタフェースを装備しなくても、記録予約の設定を行うことができる。
【００８２】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、記録予約において、記録予約情報を映像信号又は音声信号の信号形式に変換し、変換された信号を映像信号又は音声信号に多重化又は挿入して伝送する例について説明したが、記録予約情報以外の記録制御情報についても同等に実施し得る。
【図面の簡単な説明】
【００８３】
【図１】この発明の実施例１である記録予約システムの第１の構成例を示す概略図である。
【図２】同記録予約システムの第２の構成例を示す概略図である。
【図３】同記録予約システムの放送受信機の詳細な構成を示す図である。
【図４】同記録予約システムの記録機器の詳細な構成を示す図である。
【符号の説明】
【００８４】
１      記録予約システム（予約録画設定システム）
１１      放送受信機（放送受信装置）
１２      記録機器（記録装置）
２５      中央演算装置（生成手段）
３２      ビデオエンコーダ（変換手段の１つ）
３４      変調器（変換手段の１つ）
３５      セレクタ／ミキサー（送信手段の１つ）
３８      重畳回路（送信手段の１つ）
５３      垂直帰線期間番組情報抽出回路（受信手段の１つ）
５４      映像期間キャプチャー（受信手段の１つ）
５６      中央演算装置（記録制御手段、判断手段）
５８      復調器（受信手段の１つ）
６０      ビデオエンコーダ（変換手段の１つ）
６３      垂直帰線期間挿入回路（送信手段の１つ）
６４      変調器（変換手段の１つ）
６５      ミキサー（送信手段の１つ）
【図１】
2007274652.tif 000003
【図２】
2007274652.tif 000004
【図３】
2007274652.tif 000005
【図４】
2007274652.tif 000006